(57)【特許請求の範囲】
【請求項１】
原稿を載置する載置台と、
前記載置台上の原稿を覆う開閉自在の蓋体と、
前記載置台上の原稿の画像を読み取る画像読取手段と、
前記蓋体の開閉状態を検出する開閉状態検出手段と、
前記開閉状態検出手段で検出した前記蓋体を動かす動作に連動して前記載置台上の原稿の寸法を検出する第１の寸法検出手段と、
前記画像の読取りのための電力供給の開始の際に前記第１の寸法検出手段による前記載置台上の原稿の寸法の検出が行われていないにも関わらず前記原稿の画像の読み取り要求を受け付けた場合は、前記載置台上の原稿の寸法の検出を行う第２の寸法検出手段と、
を備えている画像読取装置。
【請求項２】
前記第２の寸法検出手段は、前記開閉状態検出手段による前記蓋体の開閉状態の検出に応じて、前記載置台上の原稿の寸法の検出を行うための複数の手法のうちのいずれか１つにより前記載置台上の原稿の寸法の検出を行う、請求項１に記載の画像読取装置。
【請求項３】
前記第１の寸法検出手段は、前記画像読取手段で原稿の主走査方向の寸法を検出し、前記載置台の副走査方向に沿って複数個配置された原稿の検出手段により原稿の副走査方向の寸法を検出する第１の検出手法で原稿の寸法を検出し、
前記第２の寸法検出手段は、前記開閉状態検出手段による前記蓋体の開閉状態の検出が原稿の読取りの実行要求の前後のいずれでも閉じられた状態又は開かれた状態と閉じられた状態との中間位置の状態であった場合には、前記第１の検出手法に代えて前記画像読取手段で原稿全面を読み取って画像認識することにより原稿の寸法を検出する第２の検出手法で原稿の寸法を検出する、
請求項２に記載の画像読取装置。
【請求項４】
原稿を載置する載置台と、
前記載置台上の原稿を覆う開閉自在の蓋体と、
前記載置台上の原稿の画像を読み取る画像読取手段と、
前記蓋体の開閉状態を検出する開閉状態検出手段と、
前記開閉状態検出手段で検出した前記蓋体を動かす動作に連動して前記載置台上の原稿の寸法を検出する第１の寸法検出手段と、
前記画像の読取りのための電力供給の開始の際に前記第１の寸法検出手段による前記載置台上の原稿の寸法の検出が行われていないにも関わらず前記原稿の画像の読み取り要求を受け付けた場合は、前記載置台上の原稿の寸法の検出を行う第２の寸法検出手段と、
前記画像読取手段で読み取った画像に基づいて印刷媒体上に画像形成を行う画像形成手段と、
を備えている画像形成装置。
【請求項５】
原稿を載置する載置台上の原稿を覆う開閉自在の蓋体の開閉状態を検出する開閉状態検出手段で検出した前記蓋体を動かす動作に連動して前記載置台上の原稿の寸法を検出する第１の寸法検出手段と、
前記載置台上の原稿の画像を読み取る画像読取手段による画像の読取りのための電力供給の開始の際に前記第１の寸法検出手段による前記載置台上の原稿の寸法の検出が行われていないにも関わらず前記原稿の画像の読み取り要求を受け付けた場合は、前記載置台上の原稿の寸法の検出を行う第２の寸法検出手段と、
をコンピュータに実行させるコンピュータに読み取り可能な画像読取制御プログラム。
【発明の詳細な説明】
【技術分野】
【０００１】
本発明は、画像読取装置、画像形成装置、及び画像読取制御プログラムに関する。
【背景技術】
【０００２】
特許文献１には、原稿サイズ検出時に検出手段から検出信号が出力されない場合に、検出条件を緩和（変更）し、サイズ検出を行う技術について開示されている。
特許文献２には、原稿押さえ面の反射率の分布パターンを自動的に変更することで、原稿サイズ検出の精度を上げる手段が記載されている。
【先行技術文献】
【特許文献】
【０００３】
【特許文献１】特開平１０‐２５７２５５号公報
【特許文献２】特開２００９‐２００８６３号公報
【発明の概要】
【発明が解決しようとする課題】
【０００４】
本発明の目的は、電力供給の開始の際であるために蓋体の動作に連動した載置台上の原稿の寸法の検出が行われていない場合でも、蓋体を動かす動作等を行うことなく原稿の寸法の検出を行なうことができるようにすることである。
【課題を解決するための手段】
【０００５】
請求項１に記載の発明は、原稿を載置する載置台と、前記載置台上の原稿を覆う開閉自在の蓋体と、前記載置台上の原稿の画像を読み取る画像読取手段と、前記蓋体の開閉状態を検出する開閉状態検出手段と、前記開閉状態検出手段で検出した前記蓋体を動かす動作に連動して前記載置台上の原稿の寸法を検出する第１の寸法検出手段と、前記画像の読取りのための電力供給の開始の際に前記第１の寸法検出手段による前記載置台上の原稿の寸法の検出が行われていないにも関わらず前記原稿の画像の読み取り要求を受け付けた場合は、前記載置台上の原稿の寸法の検出を行う第２の寸法検出手段と、を備えている画像読取装置である。
【０００６】
請求項２に記載の発明は、請求項１に記載の画像読取装置において、前記第２の寸法検出手段は、前記開閉状態検出手段による前記蓋体の開閉状態の検出に応じて、前記載置台上の原稿の寸法の検出を行うための複数の手法のうちのいずれか１つにより前記載置台上の原稿の寸法の検出を行う。
【０００７】
請求項３に記載の発明は、請求項２に記載の画像読取装置において、前記第１の寸法検出手段は、前記画像読取手段で原稿の主走査方向の寸法を検出し、前記載置台の副走査方向に沿って複数個配置された原稿の検出手段により原稿の副走査方向の寸法を検出する第１の検出手法で原稿の寸法を検出し、前記第２の寸法検出手段は、前記開閉状態検出手段による前記蓋体の開閉状態の検出が原稿の読取りの実行要求の前後のいずれでも閉じられた状態又は開かれた状態と閉じられた状態との中間位置の状態であった場合には、前記第１の検出手法に代えて前記画像読取手段で原稿全面を読み取って画像認識することにより原稿の寸法を検出する第２の検出手法で原稿の寸法を検出する。
【０００８】
請求項４に記載の発明は、原稿を載置する載置台と、前記載置台上の原稿を覆う開閉自在の蓋体と、前記載置台上の原稿の画像を読み取る画像読取手段と、前記蓋体の開閉状態を検出する開閉状態検出手段と、前記開閉状態検出手段で検出した前記蓋体を動かす動作に連動して前記載置台上の原稿の寸法を検出する第１の寸法検出手段と、前記画像の読取りのための電力供給の開始の際に前記第１の寸法検出手段による前記載置台上の原稿の寸法の検出が行われていないにも関わらず前記原稿の画像の読み取り要求を受け付けた場合は、前記載置台上の原稿の寸法の検出を行う第２の寸法検出手段と、前記画像読取手段で読み取った画像に基づいて印刷媒体上に画像形成を行う画像形成手段と、を備えている画像形成装置である。
【０００９】
請求項５に記載の発明は、原稿を載置する載置台上の原稿を覆う開閉自在の蓋体の開閉状態を検出する開閉状態検出手段で検出した前記蓋体を動かす動作に連動して前記載置台上の原稿の寸法を検出する第１の寸法検出手段と、前記載置台上の原稿の画像を読み取る画像読取手段による画像の読取りのための電力供給の開始の際に前記第１の寸法検出手段による前記載置台上の原稿の寸法の検出が行われていないにも関わらず前記原稿の画像の読み取り要求を受け付けた場合は、前記載置台上の原稿の寸法の検出を行う第２の寸法検出手段と、をコンピュータに実行させるコンピュータに読み取り可能な画像読取制御プログラムである。
【発明の効果】
【００１０】
請求項１，４，５に記載の発明によれば、電力供給の開始の際であるために蓋体の動作に連動した載置台上の原稿の寸法の検出が行われていない場合でも、蓋体を動かす動作等を行うことなく原稿の寸法の検出を行なうことができる。
請求項２に記載の発明によれば、電力供給の開始の際であるために蓋体の動作に連動した載置台上の原稿の寸法の検出が行われていない場合でも、原稿の寸法を検出する複数の手法のうち蓋体の動作に応じた手法で最初から原稿の寸法検出ができる。
【００１１】
請求項３に記載の発明によれば、蓋体の開閉状態からして第１の検出手法より第２の検出手法を選択すべき場合には第２の検出手法で原稿の寸法検出ができる。
【図面の簡単な説明】
【００１２】
【図１】本発明の一実施の形態である画像形成装置の電気的な接続を示すブロック図である。
【図２】本発明の一実施の形態である画像形成装置における画像読取装置の光学系を説明する説明図である。
【図３】本発明の一実施の形態である画像形成装置における画像読取装置の斜視図である。
【図４】本発明の一実施の形態である画像形成装置における画像読取装置の左側面図である。
【図５】本発明の一実施の形態である画像形成装置における画像読取装置の左側面図である。
【図６】本発明の一実施の形態である画像形成装置における画像読取装置の電気的な接続を示すブロック図である。
【図７】本発明の一実施の形態である画像形成装置における開閉カバーの開閉状態の検出と連動して原稿のサイズを自動検出する処理のフローチャートである。
【図８】本発明の一実施の形態である画像形成装置における図７の処理による原稿のサイズの自動検出が実施されていない場合に、原稿のサイズを自動検出する処理のフローチャートである。
【図９】本発明の一実施の形態である画像形成装置における判定テーブルの説明図である。
【発明を実施するための形態】
【００１３】
以下、本発明の一実施の形態について図面を参照しつつ説明する。
図１は、本実施の形態の画像形成装置の電気的な接続を示すブロック図である。この画像形成装置１は、装置全体を制御する主制御部２と、原稿の画像を読み取る画像読取装置３と、画像読取装置３で読み取った原稿の画像等の画像データに基づいて画像形成を行う画像形成手段となるプリンタエンジン４と、公衆電話回線８との間でファクシミリデータの送受信を行うファクシミリ制御装置５と、画像データ等の各種データを格納する磁気記憶装置（ＨＤＤ）６と、ユーザから各種操作を受け付け、各種メッセージを表示する操作パネル７と、画像形成装置１の各部に電力を供給する電源回路８と、を備えている。
【００１４】
主制御部２は、各部を集中的に制御するＣＰＵ１１と、ＣＰＵ１１が実行する制御プログラム１２や各種固定データを記憶しているＲＯＭ１３と、ＣＰＵ１１の作業エリアとなるＲＡＭ１４とを備えている。
プリンタエンジン４は、電子写真方式、インクジェット方式、又は、その他の印刷方式で用紙などの印刷媒体上に画像形成を行う。
【００１５】
電源回路８は、画像読取装置３の主電源スイッチが投入されると、画像読取装置３でコピー、スキャン、プリント、ファクシミリ送受信等の様々な処理が実行できるように各部に電力を供給する。また、画像読取装置３はいわゆる省電力モードを備えており、一定時間、画像読取装置３が使用されなかった場合などには操作パネル７の一部の機能など、必要最低限の部分のみに電力供給をセーブして、省電力を図る。そして、省電力モード中においては、操作パネル７に触れる等を契機として省電力モードからの復帰を図り、各部への電力供給の再開を行う。
【００１６】
制御プログラム１２は、画像読取制御プログラムを含んでおり、画像形成装置１の製造当初からセットアップされているが、後発的にインターネットなどの通信手段を介してダウンロードしてセットアップし、あるいは、後発的に制御プログラム１２を記憶した記憶媒体から読み取ってセットアップするようにしてもよい。
【００１７】
次に、画像読取装置３について詳細に説明する。
図２は画像読取装置３の光学系を説明する説明図、図３は同斜視図、図４、図５は同左側面図、図６は画像読取装置３の電気的な接続を示すブロック図である。
画像読取装置３は、画像の読み取り対象となる原稿が載置される載置台となる透光性のコンタクトガラス２１と、開閉自在で閉じたときにはコンタクトガラス２１の原稿載置面側を覆う蓋体となる開閉カバー２２と、を備えている。
【００１８】
また、照明ランプ２３ａ及び第１ミラー２３ｂを有し、コンタクトガラス２１に沿って副走査方向に移動する第１走査体２３と、第２ミラー２４ａ及び第３ミラー２４ｂを有し、第１走査体２３の１／２の速度で副走査方向に移動する第２走査体２４と、第２走査体２４からの反射光を集光させる結像レンズ２５と、集光された反射光を受光して光電変換を行うＣＣＤセンサ６と、ＣＣＤセンサ２６で得られた電気信号に対する処理およびこの画像読取装置３全体の動作制御を行う読取制御部３１（図６参照）と、を画像読取手段として備えている。
【００１９】
このうち、開閉カバー２２には、コンタクトガラス２１と対向する面に、矩形状の原稿覆い面２２ａが形成されている。この原稿覆い面２２ａは、その表面が白色である。
また、ＣＣＤセンサ２６には、カラー画像の読み取りに対応すべく、その受光面側に、カラーフィルタ（図示せず）が設けられている。なお、このＣＣＤセンサ２６は、読取制御部３１から送出される同期信号に同期して動作するものとする。
【００２０】
このような構成の画像読取装置３では、開閉カバー２２が開けられた状態でコンタクトガラス２１上に原稿が載置され、その後、開閉カバー２２が完全に閉じられると、第１走査体３がコンタクトガラス２１に沿って副走査方向に移動して、コンタクトガラス２１上の原稿を走査する。第１走査体２３が原稿を走査すると、第１走査体２３の照明ランプ２３ａの照射によって得られた原稿からの光学像は、第１走査体２３の第１ミラー２３ｂおよび第２走査体２４の第２及び第３ミラー２４ａ，２４ｂによって光軸方向が変えられた後、結像レンズ２５を介してＣＣＤセンサ２６に入射される。そして、ＣＣＤセンサ２６で光電変換が行われ、この光電変換によって得られた電気信号が、読取制御部３１での処理を経た後に、画像データとして出力される。このようにして、この画像読み取り装置では、コンタクトガラス２１上の原稿からのイメージデータの読み取りを行うようになっている。
【００２１】
この画像読み取り装置では、図４に示すように、閉じたときには開閉カバー２２がコンタクトガラス２１の原稿載置面側を開閉可能に覆うようになっていることから、その開閉カバー２２の開閉状態を認識するための開閉センサとして、第１開閉センサ２９ａおよび第２開閉センサ２９ｂが設けられている。
【００２２】
第１開閉センサ２９ａは、図４、図５に示すように、コンタクトガラス２１の上面位置から開閉カバー２２側に突出し、かつ、開閉カバー２２側に向けて付勢された移動子を有するもので、開閉カバー２２が全開状態から全閉状態へ一定角度以上回転されると、その移動子の押圧を介して、開閉カバー２２が半開（全開と全閉との中間位置にある状態）の状態にあることを検出する。
【００２３】
第２開閉センサ２９ｂは、開閉カバー２２の原稿覆い面２２ａ側（又はその対向面側）に設けられたフォトセンサやリミットスイッチ等であり、開閉カバー２２が完全に閉じられると、その開閉カバー２２が全閉状態にあることを検出する。
読取制御部３１は、マイクロコンピュータを中心に構成され、ＣＣＤセンサ２６の他、各種センサ３２、各種アクチュエータ３３が接続され、読取制御部３１は、主制御部２の制御を受けて画像読取装置３の全体を制御する。
【００２４】
特に、各種センサ３２の一部として複数個の検出センサ３４を備えている。この複数個の検出センサ３４は、コンタクトガラス２１の下側（原稿の読み取り側）において副走査方向に沿って互いにある間隔を置いて配置されている。この検出センサ３４はコンタクトガラス２１上の原稿を検出するセンサであり、どのセンサが原稿を検出しているかにより原稿の副走査方向のサイズ（寸法）を検出する。
【００２５】
一例を挙げると、３つの検出センサ３４が配置されている場合に画像読取装置３に向かって最も左の検出センサ３４のみが原稿を検出できている場合は、原稿の副走査方向のサイズはＢ５の長辺サイズであると判定する。また、画像読取装置３に向かって最も左と真ん中の検出センサ３４のみが原稿を検出できている場合は、原稿の副走査方向のサイズはＡ４の長辺サイズであると判定する。さらに、すべての検出センサ３４が原稿を検出できている場合は、原稿の副走査方向のサイズはＡ３の長辺サイズであると判定する。
【００２６】
画像読取装置３では、ＣＣＤセンサ２６で原稿の主走査方向のサイズを検出し、複数の検出センサ３４で原稿の副走査方向のサイズを検出することにより、コンタクトガラス２１上の原稿のサイズを検出する機能を有している。このサイズ検出は、第１開閉センサ２９ａ、第２開閉センサ２９ｂによる開閉カバー２２の開閉状態の検出と連動して自動で行う。すなわち、開閉カバー２２を開いてまた閉じるという動作を検出したときは、多くの場合、コンタクトガラス２１上に原稿が載置された場合であると考えられるので、開閉カバー２２の開閉状態の検出と連動して原稿のサイズを自動検出する。
【００２７】
図７は、開閉カバー２２の開閉状態の検出と連動して原稿のサイズを自動検出する処理のフローチャートである。
まず、読取制御部３１は、開閉カバー２２の「全開」を検出すると（ステップＳ１のＹ）、前回検出した原稿のサイズを自動検出の結果を消去する（ステップＳ２）。その後、開閉カバー２２の「半開」を検出すると（ステップＳ３のＹ）、原稿がコンタクトガラス２１上に載置されたものと判断して、ＣＣＤセンサ２６で原稿の主走査方向のサイズを検出し、また、検出センサ３４で原稿の副走査方向のサイズを検出する（ステップＳ４）。その後、開閉カバー２２の「全閉」を検出すると（ステップＳ５のＹ）、もう一度ＣＣＤセンサ２６で原稿の主走査方向のサイズを検出し（ステップＳ６）、ステップＳ４，Ｓ６における原稿の主走査方向のサイズの２度の検出の結果を比較して原稿の主走査方向のサイズ検出結果を確定する（ステップＳ７）。
【００２８】
このように、原稿の主走査方向のサイズ検出については、開閉カバー２２の「半開」と「全閉」の２度行うのは、以下の理由による。すなわち、周縁が黒色の黒ぶち原稿においては、コンタクトガラス２１上の原稿に開閉カバー２２が被されていれば、原稿覆い面２２ａが白色であるため、原稿の主走査方向の端縁部分がどこかは明確であるが、コンタクトガラス２１上の原稿に開閉カバー２２が被されていない場合は、黒ぶち原稿の外側は何もおおわれていないので、ＣＣＤセンサ２６で読み取ると黒色画像が読み取られ、原稿の黒ぶち部分との境界が不明瞭となってしまって、原稿サイズが特定しにくいからである。
【００２９】
このように、開閉カバー２２の開閉動作に連動して原稿サイズを自動検出しているが、このような原稿サイズを自動検出が行えない場合もある。すなわち、画像読取装置３の主電源スイッチが投入された直後や、省電力モードからの復帰を図った直後においては、第１開閉センサ２９ａ、第２開閉センサ２９ｂの初期化等、原稿サイズの自動検出を行うための準備処理が終了するまでに時間を要す。それにもかかわらず、ユーザは、電源スイッチの投入の前後や、省電力モードからの復帰を図る前後であっても、かまわずに開閉カバー２２を開いてコンタクトガラス２１上に原稿を置き、開閉カバー２２を閉めてしまうことがある。
【００３０】
このような場合には、ユーザが操作パネル７のスタートボタンを押下して原稿の画像読み取りの実行を指示しても、画像形成装置１側では原稿サイズを認識出来ず、操作パネル７に「原稿サイズ不定」などのメッセージを表示することとなる。そして、この場合には、ユーザが操作パネル７を操作して手入力により原稿のサイズを入力するか、あるいは、もう一度開閉カバー２２を開閉する動作を行わねばならず、ユーザにとって繁雑な作業となる。
【００３１】
以下では、かかる不具合を防止するために画像読取装置３が行う処理について説明する。
まず、画像読取装置３では、前述したＣＣＤセンサ２６及び検出センサ３４による原稿のサイズ検出手段の他に、第１走査体２３及び第２走査体２４を駆動して原稿全面を読み取ることにより原稿のサイズ検出を行う手段も備えている。すなわち、この手段は、第１走査体２３及び第２走査体２４を駆動して原稿全面の画像をＣＣＤセンサ２６で読み取り、読み取った画像を画像認識し、これにより原稿の端縁がどこにあるかを認識することで原稿の主走査方向、副走査方向のサイズを検出するものである。以下では、ＣＣＤセンサ２６及び検出センサ３４による原稿のサイズ検出の手段を「第１の検出手法」といい、後者の原稿全面を読み取ることにより原稿のサイズ検出を行う手段を「第２の検出手法」という。また、以下では、「第１の検出手法」においては必ずしも２回の原稿サイズ検出は行わず、１回の原稿サイズ検出で原稿のサイズを決定している。
【００３２】
図８は、図７の処理による原稿のサイズの自動検出が実施されていない場合に、原稿のサイズを自動検出する処理のフローチャートである。
図８の処理は、画像形成装置１の主電源スイッチの投入や、省電力モードからの復帰により読取制御部３１に電力供給が開始されることにより開始する。すなわち、読取制御部３１は、各種のデバイスの初期化（ステップＳ１１）、第１開閉センサ９ａ及び第２開閉センサ９ｂの初期化を行うと（ステップＳ１２）、第１開閉センサ９ａ及び第２開閉センサ９ｂによる開閉カバー２２の開閉状態の監視を開始する（ステップＳ１３）。
【００３３】
そして、開閉カバー２２の開閉状態を第１開閉センサ９ａ及び第２開閉センサ９ｂにより検出し、その検出結果を「第１の状態」として記憶する（ステップＳ１４）。次に、第１走査体２３、第２走査体２４をＣＣＤセンサ２６で原稿の主走査方向のサイズを検出することができる位置に移動する（ステップＳ１５）。この処理の前に開閉カバー２２の開閉動作が行われても、図７の処理における第１の検出手法による原稿サイズ検出の処理は行われない。
【００３４】
次に、操作パネル７のスタートボタンを押下して原稿の画像読み取りの実行の指示があったときは（ステップＳ１６のＹ）、開閉カバー２２の開閉状態を第１開閉センサ９ａ及び第２開閉センサ９ｂにより検出し、その検出結果を「第２の状態」として記憶する（ステップＳ１７）。そして、図７の処理による第１の検出手法による原稿サイズ検出の処理がすでに終了しているか否かを判断し（ステップＳ１８）、終了しているときは（ステップＳ１８のＹ）、図８の処理を終了する。この場合は、図７の処理による第１の検出手法による原稿サイズ検出で特定した原稿サイズに基づいて画像読取装置３のスキャン動作が実行されることになる。
【００３５】
終了していないときは（ステップＳ１８のＮ）、ステップＳ１９以下の処理により、図７の処理とは無関係に原稿サイズ検出を行う。
この場合に、図７の処理と同様に第１の検出手法による原稿サイズ検出を行うことも考えられるが、操作パネル７のスタートボタンを押下しているにもかかわらず、図７の処理による原稿サイズ検出がなされていないというのは、画像読取装置３の主電源スイッチが投入された直後や、省電力モードからの復帰を図った直後等であるため、開閉カバー２２の開閉動作がなされたのだが、図７の処理で第１の検出手法による原稿サイズ検出を行う準備ができていなかったということ等も考えられる。よって、第１の検出手法による原稿サイズ検出を行うのが適当でないときは第２の検出手法による原稿サイズ検出を行うのがよい。なお、第２の検出手法による原稿サイズ検出は、第１の検出手法による原稿サイズ検出より時間を要する。
【００３６】
この場合に、以下の処理で第１の検出手法による原稿サイズ検出を行なってみて、不具合があればもう一度第２の検出手法による原稿サイズ検出を行なってみることも考えられる。
しかし、これだと以下の処理で第１の検出手法と第２の検出手法の２度の検出処理が行われ、原稿サイズ検出に不必要に長時間を要することになる。以下では、これらの不具合を防止する処理について説明する。
【００３７】
すなわち、図７の処理による第１の検出手法による原稿サイズ検出の処理がすでに終了しているときは（ステップＳ１８のＮ）、検出済みの第１の状態、第２の状態により、図９の判定テーブルを参照して、第１の検出手法と第２の検出手法のどちらが適当かを判定する（ステップＳ１９）。そして、第１の検出手法が適当であるときは（ステップＳ１９のＹ）、第１の検出手法による原稿サイズの検出を行い（ステップＳ２０）、第２の検出手法が適当であるときは（ステップＳ１９のＮ）、第２の検出手法による原稿サイズの検出を行なって（ステップＳ２１）、処理を終了する。この場合は、図８の処理による第１の検出手法又はＢによる原稿サイズ検出で特定した原稿サイズに基づいて画像読取装置３のスキャン動作が実行されることになる。
【００３８】
次に、図９の判定テーブルを参照して行うステップＳ１９の処理について説明する。ステップＳ１９では、判定テーブルを参照して、第１の状態、第２の状態で開閉カバー２２の開閉状態が「全開」、「半開」、「全閉」のいずれであったかの組み合わせに応じて第１の検出手法又は第２の検出手法を選択するものである。
まず、第１の状態が「全開」、第２の状態が「全閉」である場合は、開閉カバー２２の「全閉」動作により図７の処理で第１の検出手法による原稿サイズの検出ができたはずができなかったのは準備ができていなかったからであると考えられるので、第２の検出手法を選択する。
【００３９】
第１の状態が「全開」、第２の状態が「全開」又は「半開」である場合は、厚みのある冊子が原稿で開閉カバー２２を「全閉」できないのであろうと考えられるので、第１の検出手法を選択する。
第１の状態が「半開」、第２の状態が「全開」である場合は、開閉カバー２２を開けてこれから原稿を載置しようという状態にあると考えられるので、図７の処理で第１の検出手法による原稿サイズの検出が行われていないのであれば、第１の検出手法による原稿サイズ検出を行う。
【００４０】
第１の状態が「半開」、第２の状態が「半開」である場合は、厚みのある冊子が原稿としてコンタクトガラス２１上に載置されたと考えられるが、図７の処理で第１の検出手法による原稿サイズの検出ができなかったのは準備ができていなかったからであると考えられるので、第２の検出手法を選択する。
第１の状態が「半開」、第２の状態が「全閉」である場合は、通常はコンタクトガラス２１上に原稿を載置したと考えられるが、図７の処理で第１の検出手法による原稿サイズの検出が行われていないのであれば準備ができていなかったからであると考えられるので、第２の検出手法による原稿サイズ検出を行う。
【００４１】
第１の状態が「全閉」、第２の状態が「全開」である場合は、開閉カバー２２を開けてこれから原稿を載置しようという状態にあると考えられるので、図７の処理で第１の検出手法による原稿サイズの検出が行われていないのであれば、第１の検出手法による原稿サイズ検出を行う。
第１の状態が「全閉」、第２の状態が「半開」である場合は、どのような状況であるのかは想定できないので、第１の検出手法に代えて第２の検出手法を使用するのが無難であると考えられる。
【００４２】
第１の状態が「全閉」、第２の状態が「全閉」である場合は、主電源スイッチの投入又は省電力モードからの復帰の前から原稿はコンタクトガラス２１上に載置されていたと想定されるから、図７の処理で第１の検出手法による原稿サイズの検出ができたはずができなかったのは準備ができていなかったからであると考えられるので、第２の検出手法による原稿サイズ検出を行う。
【００４３】
なお、図７の処理による第１の検出手法による原稿サイズ検出の処理がすでに終了しているが（ステップＳ１８のＮ）、検出された原稿のサイズがＡ４，Ａ３などの定型サイズ以外の不定形なサイズであったときは、原稿サイズ検出の処理が終了しているにもかかわらず第２の検出手法によりもう一度原稿サイズ検出を行うようにしてもよい。
以上の処理により、主電源スイッチの投入又は省電力モードからの復帰の際であるため、図７の処理による開閉カバー２２の動作に連動したコンタクトガラス２１上の原稿のサイズ検出が行われていない場合でも、開閉カバー２２を動かす動作等を行うことなく原稿サイズ検出を行うことができる。
【００４４】
しかも、原稿のサイズを検出する第１の検出手法、第２の検出手法のうち、開閉カバー２２の動作に応じた手段で最初から原稿のサイズ検出ができる。
【符号の説明】
【００４５】
１    画像形成装置
３    画像読取装置
２１  コンタクトガラス
２２  開閉カバー
２６  ＣＣＤセンサ
２９ａ  第１の開閉センサ
２９ｂ  第２の開閉センサ
【図１】
0005434699.tif 000002
【図２】
0005434699.tif 000003
【図３】
0005434699.tif 000004
【図４】
0005434699.tif 000005
【図５】
0005434699.tif 000006
【図６】
0005434699.tif 000007
【図７】
0005434699.tif 000008
【図８】
0005434699.tif 000009
【図９】
0005434699.tif 000010